【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
被写体を撮影する撮像部と、
前記撮像部から出力される画像データおよび／または外部から入力される画像データを記録する画像記録部と、
前記画像データを表示する画像表示部と、
前記画像記録部から読み出された前記画像データに対して複数種の補正処理を行うことが可能な画像補正処理部と、
補正を指示する情報に基づいて前記複数種の補正処理の組み合わせおよび順序を決定し、前記画像データに対して複数種の前記補正処理を連続的に実行させる補正制御部と、
を有することを特徴とする画像撮影装置。
【請求項２】
請求項１記載の画像撮影装置において、
前記画像補正処理部は、手振れ補正、トーン補正、赤目補正を実行する機能を備え、前記補正制御部は、前記画像補正処理部において、前記画像データに対して、前記手振れ補正、前記トーン補正、前記赤目補正の順に前記補正処理を実行させることを特徴とする画像撮影装置。
【請求項３】
請求項１記載の画像撮影装置において、
前記補正制御部は、最後の前記補正処理の完了後に、前記画像記録部において、前記画像データを圧縮して記録させ、
前記画像記録部は、前記補正処理の以前の前記画像データにタグ情報として随伴していた撮影情報を継承し、前記補正処理の実施履歴を前記タグ情報に格納して記録することを特徴とする画像撮影装置。
【請求項４】
請求項１記載の画像撮影装置において、
前記補正制御部は、前記画像データに応じて前記補正処理の組み合わせを決定して、前記画像補正処理部を制御することにより、前記画像データに対して複数種の前記補正処理を連続的に実行させることを特徴とする画像撮影装置。
【請求項５】
請求項１記載の画像撮影装置において、
さらに、前記画像表示部の表示画面を複数の表示領域に分割し、前記補正処理の前後の前記画像データを前記表示画面の個々の前記表示領域に表示させる表示制御部を有し、
前記表示制御部は、前記表示画面を第１および第２の前記表示領域に分割し、一つの前記補正処理においては、前記補正処理の前の前記画像データを第１の前記表示領域に出力し、前記補正処理の後の前記画像データを第２の前記表示領域に出力し、次の前記補正処理の開始に先立って、第２の前記表示領域の前記画像データを第１の前記表示領域にスライドさせることを特徴とする画像撮影装置。
【手続補正２】
【補正対象書類名】明細書
【補正対象項目名】発明の名称
【補正方法】変更
【補正の内容】
【発明の名称】画像撮影装置
【手続補正３】
【補正対象書類名】明細書
【補正対象項目名】００１１
【補正方法】変更
【補正の内容】
【００１１】
本発明は、被写体を撮影する撮像部と、
前記撮像部から出力される画像データおよび／または外部から入力される画像データを記録する画像記録部と、
前記画像データを表示する画像表示部と、
前記画像記録部から読み出された前記画像データに対して複数種の補正処理を行うことが可能な画像補正処理部と、
補正を指示する情報に基づいて前記複数種の補正処理の組み合わせおよび順序を決定し、前記画像データに対して複数種の前記補正処理を連続的に実行させる補正制御部と、
を有する画像撮影装置を提供する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】０１３９
【補正方法】変更
【補正の内容】
【０１３９】
これらの結果、画像データ１００に対する複数の補正処理の効果をユーザに対して分かりやすく提示することができる。
なお、本発明は、上述の実施の形態に例示した構成に限らず、その趣旨を逸脱しない範囲で種々変更可能であることは言うまでもない。
本発明の第１の観点は、被写体を撮影する撮像部と、
前記撮像部から出力される画像データおよび／または外部から入力される画像データを記録する画像記録部と、
前記画像データを表示する画像表示部と、
前記画像記録部から読み出された前記画像データに対して複数種の補正処理を行うことが可能な画像補正処理部と、
補正を指示する情報に基づいて前記複数種の補正処理の組み合わせおよび順序を決定し、前記画像データに対して複数種の前記補正処理を連続的に実行させる補正制御部と、
を有する画像撮影装置を提供する。
本発明の第２の観点は、第１の観点に記載の画像撮影装置において、
前記補正制御部は、補正指示による一つの操作指令に基づいて前記画像データに対して複数種の前記補正処理を連続的に実行させる画像撮影装置を提供する。
本発明の第３の観点は、第２の観点に記載の画像撮影装置において、
前記画像補正処理部は、手振れ補正、トーン補正、赤目補正を実行する機能を備えた画像撮影装置を提供する。
本発明の第４の観点は、第２の観点に記載の画像撮影装置において、
前記画像補正処理部は、手振れ補正、トーン補正、赤目補正を実行する機能を備え、前記補正制御部は、前記画像補正処理部において、前記画像データに対して、前記手振れ補正、前記トーン補正、前記赤目補正の順に前記補正処理を実行させる画像撮影装置を提供する。
本発明の第５の観点は、第２の観点に記載の画像撮影装置において、
前記補正制御部は、前記画像データにタグ情報として随伴する撮影情報を参照して、個々の前記補正処理の可否を判定する画像撮影装置を提供する。
本発明の第６の観点は、第２の観点に記載の画像撮影装置において、
前記補正制御部は、最後の前記補正処理の完了後に、前記画像記録部において、前記画像データを圧縮して記録させる画像撮影装置を提供する。
本発明の第７の観点は、第６の観点に記載の画像撮影装置において、
前記画像記録部は、前記補正処理の以前の前記画像データにタグ情報として随伴していた撮影情報を継承し、前記補正処理の実施履歴を前記タグ情報に格納して記録する画像撮影装置を提供する。
本発明の第８の観点は、第２の観点に記載の画像撮影装置において、
前記画像データには、当該画像データの撮影情報が記録されたタグ情報が随伴して格納され、
前記補正制御部は、前記画像データの前記タグ情報を参照して、いずれの前記補正処理を実行するかを決定し、当該補正処理が実行済みか否かを示す補正履歴情報を前記タグ情報に記録する画像撮影装置を提供する。
本発明の第９の観点は、第１の観点に記載の画像撮影装置において、
前記補正制御部は、前記画像データに応じて前記補正処理の組み合わせを決定して、前記画像補正処理部を制御することにより、前記画像データに対して複数種の前記補正処理を連続的に実行させる画像撮影装置を提供する。
本発明の第１０の観点は、第９の観点に記載の画像撮影装置において、
前記画像データには、当該画像データの撮影情報が記録されたタグ情報が随伴して格納され、
前記補正制御部は、前記撮影情報に基づいて前記補正処理の組み合わせを決定する画像撮影装置を提供する。
本発明の第１１の観点は、第９の観点に記載の画像撮影装置において、
前記画像データには、当該画像データの撮影情報が記録されたタグ情報が随伴して格納され、
前記補正制御部は、前記撮影情報に基づいて個々の前記補正処理における補正量を決定する画像撮影装置を提供する。
本発明の第１２の観点は、第２の観点に記載の画像撮影装置において、
さらに、前記画像表示部の表示画面を複数の表示領域に分割し、前記補正処理の前後の前記画像データを前記表示画面の個々の前記表示領域に表示させる表示制御部、を含む画像撮影装置を提供する。
本発明の第１３の観点は、第１２の観点に記載の画像撮影装置において、
前記表示制御部は、前記表示画面を第１および第２の前記表示領域に分割し、
一つの前記補正処理においては、前記補正処理の前の前記画像データを第１の前記表示領域に出力し、前記補正処理の後の前記画像データを第２の前記表示領域に出力し、
次の前記補正処理の開始に先立って、第２の前記表示領域の前記画像データを第１の前記表示領域にスライドさせる画像撮影装置を提供する。
本発明の第１４の観点は、第１２の観点に記載の画像撮影装置において、
前記表示制御部は、前記表示画面を第１および第２の前記表示領域に分割し、
前記補正処理の前後の前記画像データにおける補正対象領域を拡大または選択して、それぞれ第１および第２の前記表示領域に表示する画像撮影装置を提供する。
本発明の第１５の観点は、第１２の観点に記載の画像撮影装置において、
前記表示制御部は、前記表示画面を第１および第２の前記表示領域に分割し、
一つの前記補正処理において、前記補正処理の前の前記画像データを第１の前記表示領域に出力し、前記補正処理の後の前記画像データを第２の前記表示領域に出力するとき、前記補正処理の開始前または実行中は、第２の前記表示領域における表示を抑止する画像撮影装置を提供する。
本発明の第１６の観点は、第１２の観点に記載の画像撮影装置において、
前記表示制御部は、前記補正処理の実行中おける前記画像データ以外の情報の前記表示画面に対する出力を抑止する画像撮影装置を提供する。
本発明の第１７の観点は、第１の観点に記載の画像撮影装置において、
さらに、前記画像データの異なる再生モードを選択するモード選択部を備え、
前記補正制御部は、前記モード選択部によって選択された前記再生モードに基づいて、前記画像補正処理部による複数の前記補正処理の前記画像データに対する連続した実行、または個々の前記補正処理の選択的な実行を切り替える画像撮影装置を提供する。
本発明の第１８の観点は、被写体を撮影する撮像部と、
前記撮像部から出力される画像データおよび／または外部から入力される画像データを記録する画像記録部と、
前記画像データを表示する画像表示部と、
前記画像記録部から読み出された前記画像データに対して複数種の補正処理を行うことが可能な画像補正処理部と、
を含む画像撮影装置の制御方法であって、
前記画像データを前記画像記録部から読み出して前記画像表示部に表示する第１ステップと、
前記画像データに対して適用可能な複数の前記補正処理を連続して実行する第２ステップと、
前記補正処理が完了した前記画像データを前記画像表示部に表示する第３ステップと、
を含む画像撮影装置の制御方法を提供する。
本発明の第１９の観点は、第１８の観点に記載の画像撮影装置の制御方法において、
前記第２ステップでは、前記画像データに随伴した撮影情報に基づいて、前記補正処理の適用の可否、および／または複数の前記補正処理の組み合わせ、を決定する画像撮影装置の制御方法を提供する。
本発明の第２０の観点は、第１８の観点に記載の画像撮影装置の制御方法において、
前記第２ステップでは、前記表示画面を第１および第２の前記表示領域に分割し、
前記補正処理の前の前記画像データを第１の前記表示領域に出力し、前記補正処理の後の前記画像データを第２の前記表示領域に出力し、次の前記補正処理の開始に先立って、第２の前記表示領域の前記画像データを第１の前記表示領域にスライドさせる処理を、複数の前記補正処理毎に反復する画像撮影装置の制御方法を提供する。
本発明の第２１の観点は、第１８の観点に記載の画像撮影装置の制御方法において、
前記第２ステップでは、前記表示画面を第１および第２の前記表示領域に分割し、
前記補正処理の前後の前記画像データにおける補正対象領域を拡大または選択して、それぞれ第１および第２の前記表示領域に表示する画像撮影装置の制御方法を提供する。
本発明の第２２の観点は、第１８の観点に記載の画像撮影装置の制御方法において、
前記第３ステップでは、最後の前記補正処理の完了後に前記画像データを圧縮し、前記補正処理に関する補正履歴情報を付加した状態で、元の前記画像データとは別に前記画像記録部に記録する画像撮影装置の制御方法を提供する。
本発明の第２３の観点は、第１８の観点に記載の画像撮影装置の制御方法において、
複数の前記補正処理は、手振れ補正、トーン補正、赤目補正、の少なくとも一つを含む画像撮影装置の制御方法を提供する。
本発明の第２４の観点は、被写体を撮影する撮像部と、
前記撮像部から出力される画像データおよび／または外部から入力される画像データを記録する画像記録部と、
前記画像記録部から読み出された前記画像データに対して複数種の補正処理を行うことが可能な画像補正処理部と、
前記画像データを表示する画像表示部と、
前記画像補正処理部および前記画像表示部を制御する制御コンピュータと、
を含む画像撮影装置の制御プログラムであって、
前記制御コンピュータに、
前記画像データを前記画像記録部から読み出して前記画像表示部に表示する第１ステップと、
前記画像データに対して適用可能な複数の前記補正処理を連続して実行する第２ステップと、
前記補正処理が完了した前記画像データを前記画像表示部に表示する第３ステップと、
を実行させる画像撮影装置の制御プログラムを提供する。
本発明の第２５の観点は、第２４の観点に記載の画像撮影装置の制御プログラムにおいて、
前記第２ステップでは、前記画像データに随伴した撮影情報に基づいて、前記補正処理の適用の可否、および／または複数の前記補正処理の組み合わせ、を決定する画像撮影装置の制御プログラムを提供する。
本発明の第２６の観点は、第２４の観点に記載の画像撮影装置の制御プログラムにおいて、
前記第２ステップでは、前記表示画面を第１および第２の前記表示領域に分割し、
前記補正処理の前の前記画像データを第１の前記表示領域に出力し、前記補正処理の後の前記画像データを第２の前記表示領域に出力し、次の前記補正処理の開始に先立って、第２の前記表示領域の前記画像データを第１の前記表示領域にスライドさせる処理を複数の前記補正処理毎に反復する動作を前記画像表示部に実行させる画像撮影装置の制御プログラムを提供する。
本発明の第２７の観点は、第２４の観点に記載の画像撮影装置の制御プログラムにおいて、
前記第２ステップでは、前記表示画面を第１および第２の前記表示領域に分割し、
前記補正処理の前後の前記画像データにおける補正対象領域を拡大または選択して、それぞれ第１および第２の前記表示領域に表示する動作を前記画像表示部に実行させる画像撮影装置の制御プログラムを提供する。
本発明の第２８の観点は、第２４の観点に記載の画像撮影装置の制御プログラムにおいて、
前記第３ステップでは、最後の前記補正処理の完了後に前記画像データを圧縮し、前記補正処理に関する補正履歴情報を付加した状態で、元の前記画像データとは別に前記画像記録部に記録する画像撮影装置の制御プログラムを提供する。
本発明の第２９の観点は、第２４の観点に記載の画像撮影装置の制御プログラムにおいて、
複数の前記補正処理は、手振れ補正、トーン補正、赤目補正、の少なくとも一つを含む画像撮影装置の制御プログラムを提供する。